【手続補正書】
【提出日】平成18年10月19日(2006.10.19)
【手続補正１】
【補正対象書類名】明細書
【補正対象項目名】特許請求の範囲
【補正方法】変更
【補正の内容】
【特許請求の範囲】
【請求項１】  発熱部品の熱を受ける受熱部と、この受熱部に熱的に接続された放熱部とを有するヒートシンクと、
少なくとも上記ヒートシンクの放熱部に冷却風を送風する送風手段と、を具備する冷却装置において、
上記放熱部は、上記発熱部品から外れた位置において上記受熱部と重なり合うことなく平面的に並べて配置され、しかも、上記ヒートシンクは、上記受熱部が上記発熱部品に近づいたり遠ざかる方向に移動可能であるとともに、この受熱部が常に上記発熱部品に近づく方向に弾性体を介して付勢されていることを特徴とする冷却装置。
【請求項２】  請求項１の記載において、上記ヒートシンクの放熱部は、上記冷却風が導かれる少なくとも一つの冷却風通路と、この冷却風通路に臨む冷却フィンとを有することを特徴とする冷却装置。
【請求項３】  請求項１又は請求項２の記載において、上記弾性体は、上記受熱部と上記放熱部とを合わせた上記ヒートシンクの重心位置もしくはその近傍に接していることを特徴とする冷却装置。
【請求項４】  発熱部品の熱を受ける受熱部と、この受熱部に熱的に接続された放熱部とを有するヒートシンクと、
回転駆動されるファンと、このファンを支持するファンケーシングとを有し、少なくとも上記ヒートシンクの放熱部に冷却風を送風するファンユニットと、を具備する冷却装置において、
上記ファンユニットは、上記ファンケーシングと一体化されたヒートシンク支持部を有し、これらヒートシンク支持部とファンケーシングとは、互いに重なり合うことなく平面的に並べて配置されているとともに、上記ヒートシンク支持部は、上記ヒートシンクを囲むような枠状に形成され、このヒートシンク支持部の内側に上記ヒートシンクが支持されていることを特徴とする冷却装置。
【請求項５】  冷却風を送風する送風手段と、
上記冷却風が導かれる少なくとも一つの冷却風通路と、この冷却風通路の下流端に形成され、上記冷却風通路の上流側における冷却風の流れ方向とは異なる方向に開口された冷却風出口とを有するヒートシンクと、を具備し、
上記ヒートシンクの冷却風通路は、上記冷却風出口よりも冷却風の流れ方向に沿う上流側に偏った位置に冷却風の流れ方向に延びる複数の板状をなす第１の冷却フィンを有するとともに、上記冷却風出口に対応する上記冷却風通路の下流端に格子状に並べて配置された複数のピン状をなす第２の冷却フィンを有することを特徴とする冷却装置。
【請求項６】  筐体と、
上記筐体の内部に収容された発熱部品と、
上記筐体の内部に収容され、上記発熱部品の熱を受ける受熱部と、この受熱部に熱的に接続された放熱部とを有するヒートシンクと、
上記筐体の内部に収容され、少なくとも上記ヒートシンクの放熱部に冷却風を送風する送風手段と、を具備し、
上記放熱部は、上記発熱部品から外れた位置において上記受熱部と重なり合うことなく平面的に並べて配置され、しかも、上記ヒートシンクは、上記受熱部が上記発熱部品に近づいたり遠ざかる方向に移動可能であるとともに、上記受熱部が常に上記発熱部品に近づく方向に弾性体を介して付勢されていることを特徴とする電子機器。
【手続補正２】
【補正対象書類名】明細書
【補正対象項目名】００２１
【補正方法】変更
【補正の内容】
【００２１】
【課題を解決するための手段】
上記第１の目的を達成するため、本発明の一つの形態に係る冷却装置は、
発熱部品の熱を受ける受熱部と、この受熱部に熱的に接続された放熱部とを有するヒートシンクと、
少なくとも上記ヒートシンクの放熱部に冷却風を送風する送風手段と、を具備している。
上記放熱部は、上記発熱部品から外れた位置において上記受熱部と重なり合うことなく平面的に並べて配置され、しかも、上記ヒートシンクは、上記受熱部が上記発熱部品に近づいたり遠ざかる方向に移動可能であるとともに、この受熱部が常に上記発熱部品に近づく方向に弾性体を介して付勢されていることを特徴としている。
【手続補正３】
【補正対象書類名】明細書
【補正対象項目名】００２２
【補正方法】変更
【補正の内容】
【００２２】
上記第１の目的を達成するため、本発明の一つの形態に係る電子機器は、
筐体と、
上記筐体の内部に収容された発熱部品と、
上記筐体の内部に収容され、上記発熱部品の熱を受ける受熱部と、この受熱部に熱的に接続された放熱部とを有するヒートシンクと、
上記筐体の内部に収容され、少なくとも上記ヒートシンクの放熱部に冷却風を送風する送風手段と、を具備している。
上記放熱部は、上記発熱部品から外れた位置において上記受熱部と重なり合うことなく平面的に並べて配置され、しかも、上記ヒートシンクは、上記受熱部が上記発熱部品に近づいたり遠ざかる方向に移動可能であるとともに、上記受熱部が常に上記発熱部品に近づく方向に弾性体を介して付勢されていることを特徴としている。
【手続補正４】
【補正対象書類名】明細書
【補正対象項目名】００２７
【補正方法】変更
【補正の内容】
【００２７】
上記第２の目的を達成するため、本発明の一つの形態に係る冷却装置は、
発熱部品の熱を受ける受熱部と、この受熱部に熱的に接続された放熱部とを有するヒートシンクと、
回転駆動されるファンと、このファンを支持するファンケーシングとを有し、少なくとも上記ヒートシンクの放熱部に冷却風を送風するファンユニットと、を具備している。
上記ファンユニットは、上記ファンケーシングと一体化されたヒートシンク支持部を有し、これらヒートシンク支持部とファンケーシングとは、互いに重なり合うことなく平面的に並べて配置されているとともに、上記ヒートシンク支持部は、上記ヒートシンクを囲むような枠状に形成され、このヒートシンク支持部の内側に上記ヒートシンクが支持されていることを特徴としている。
【手続補正５】
【補正対象書類名】明細書
【補正対象項目名】００２９
【補正方法】変更
【補正の内容】
【００２９】
上記第３の目的を達成するため、本発明の一つの形態に係る冷却装置は、
冷却風を送風する送風手段と、
上記冷却風が導かれる少なくとも一つの冷却風通路と、この冷却風通路の下流端に形成され、上記冷却風通路の上流側における冷却風の流れ方向とは異なる方向に開口された冷却風出口とを有するヒートシンクと、を具備している。
上記ヒートシンクの冷却風通路は、上記冷却風出口よりも冷却風の流れ方向に沿う上流側に偏った位置に冷却風の流れ方向に延びる複数の板状をなす第１の冷却フィンを有するとともに、上記冷却風出口に対応する上記冷却風通路の下流端に格子状に並べて配置された複数のピン状をなす第２の冷却フィンを有することを特徴としている。
【手続補正６】
【補正対象書類名】明細書
【補正対象項目名】００３５
【補正方法】変更
【補正の内容】
【００３５】
コンピュータ本体２は、筐体４を有している。筐体４は、例えばマグネシウム合金のような軽量で熱伝導性に優れた金属材料にて構成されている。この筐体４は、底壁４ａ、上壁４ｂ、前壁４ｃ、左右の側壁４ｄおよび後壁４ｅを有する偏平な箱状をなしている。筐体４の右側の側壁４ｄには、第１の吸入口５ａおよび排気口６が形成されている。第１の吸入口５ａは、筐体４の奥行き方向に沿う中間部に位置されているとともに、排気口６は、筐体４の後部に位置されている。
【手続補正７】
【補正対象書類名】明細書
【補正対象項目名】００５２
【補正方法】変更
【補正の内容】
【００５２】
ヒートシンク支持部４２は、矩形状の枠部４３と、この枠部４３に連なる取り付けガイド４４とを備えている。枠部４３と取り付けガイド４４とは、上記吐出口４０の長手方向に沿って平面的に並べて配置されている。取り付けガイド４４は、枠部４３の各辺よりも幅広く形成された帯状をなしており、上記吐出口４０から遠ざかる方向に水平に延びている。この取り付けガイド４４は、複数の座部４５を有している。座部４５およびファンケーシング２９の支持片３６は、上記筐体４の底壁４ａから上向きに突出する複数のボス部４６に夫々ねじ止めされている。
【手続補正８】
【補正対象書類名】明細書
【補正対象項目名】００６６
【補正方法】変更
【補正の内容】
【００６６】
図３および図８に見られるように、ヒートシンク２７は、平坦な下面を有している。このヒートシンク２７の下面には、凹部６６が形成されている。凹部６６は、受熱部５０と放熱部５１とに跨って延びており、この凹部６６内に熱移送手段として機能する偏平なヒートパイプ６７が埋め込まれている。ヒートパイプ６７は、第１の端部６７ａと第２の端部６７ｂとを有している。第１の端部６７ａは、受熱部５０に熱的に接続され、第２の端部６７ｂは、放熱部５１に熱的に接続されている。
【手続補正９】
【補正対象書類名】明細書
【補正対象項目名】００８１
【補正方法】変更
【補正の内容】
【００８１】
ICチップ２１の温度が予め規定された値に達すると、ファンユニット２６の遠心ファン３０が回転駆動される。この遠心ファン３０の回転により、筐体４の外部の空気が第１および第２の吸入口５ａ，５ｂを通じて筐体４の内部に吸い込まれる。この空気は、第１および第２の吸込口３３，３８から遠心ファン３０の軸方向に吸い込まれた後、遠心ファン３０の外周部から送風通路３９に吐き出され、冷却風となってファンケーシング２９の吐出口４０から吐出される。